(57)【要約】【課題】  建物周辺の火災が玄関ポーチを介して建物の内部に延焼するのを防止すること。【解決手段】  建物１の本体屋根２０Ａの前面に玄関ポーチ３０の付帯屋根３０Ａを接続した建物１の防火構造であって、本体屋根２０Ａの前面と付帯屋根３０Ａとの防火面５３Ａが設けられてなるもの。【選択図】  図３
2010070958.tif 000002
【特許請求の範囲】
【請求項１】
建物の本体屋根の前面に玄関ポーチの付帯屋根を接続した建物の防火構造であって、
本体屋根の前面と付帯屋根との接続部に防火面が設けられてなる建物の防火構造。
【請求項２】
前記防火面の一部が換気口とされ、火災発生時にこの換気口を閉鎖する防火ダンパが設けられてなる請求項１に記載の建物の防火構造。
【請求項３】
前記本体屋根が、前記付帯屋根の屋根面を該本体屋根の屋根面につなげるサブパーツを設けられてなる請求項１又は２に記載の建物の防火構造。
【発明の詳細な説明】
【技術分野】
【０００１】
本発明はユニット建物等の建物の防火構造に関する。
【背景技術】
【０００２】
ユニット建物等の建物において、特許文献１に記載の如く、建物の本体屋根の前面に玄関ポーチの付帯屋根を接続してなるものがある。
【特許文献１】特許3176466
【発明の開示】
【発明が解決しようとする課題】
【０００３】
従来技術では、建物周辺に発生した火災が玄関ポーチに引火したとき、玄関ポーチの付帯屋根から本体屋根の前面、小屋裏を介して建物の内部に延焼するおそれがある。
【０００４】
本発明の課題は、建物周辺の火災が玄関ポーチを介して建物の内部に延焼するのを防止することにある。
【課題を解決するための手段】
【０００５】
請求項１の発明は、建物の本体屋根の前面に玄関ポーチの付帯屋根を接続した建物の防火構造であって、本体屋根の前面と付帯屋根との接続部に防火面が設けられてなるようにしたものである。
【０００６】
請求項２の発明は、請求項１の発明において更に、前記防火面の一部が換気口とされ、火災発生時にこの換気口を閉鎖する防火ダンパが設けられてなるようにしたものである。
【０００７】
請求項３の発明は、請求項１又は２の発明において更に、前記本体屋根が、前記付帯屋根の屋根面を該本体屋根の屋根面につなげるサブパーツを設けられてなるようにしたものである。
【発明の効果】
【０００８】
（請求項１）
(a)建物周辺に発生した火災が玄関ポーチに引火したとき、玄関ポーチの付帯屋根から本体屋根の前面への延焼が防火面の存在により防止され、ひいては本体屋根の小屋裏、建物の内部への延焼が防止される。
【０００９】
（請求項２）
(b)防火面の一部が換気口とされているから、通常は、付帯屋根に覆われている本体屋根の前面に設けられて雨水の浸入のない大開口の換気口を介して、本体屋根の小屋裏を換気できる。
【００１０】
火災が発生したときには、防火ダンパが上述の換気口を閉鎖し、この換気口から本体屋根の小屋裏に入る火災の延焼を防止する。
【００１１】
（請求項３）
(c)本体屋根が、付帯屋根の屋根面を本体屋根の屋根面につなげるサブパーツを設けられる。従って、本体屋根と付帯屋根の各屋根形状の自由度を確保しながら、建物の屋根全体では、それらの本体屋根と付帯屋根をサブパーツの介在によって調和させた納まりを形成できる。
【発明を実施するための最良の形態】
【００１２】
図１は建物を示す模式斜視図、図２は建物に設けた玄関ポーチを示す断面図、図３は図２のIII部拡大図、図４は建物の本体屋根の前面に設けた防火構造を示す分解斜視図、図５は防火ダンパを示し、（Ａ）は正面図、（Ｂ）は断面図である。
【実施例】
【００１３】
図１に示す建物１は、基礎２の上に構築されたユニット建物であり、複数の建物ユニット１０を隣接配置し、各建物ユニット１０の上に本体屋根ユニット２０を搭載し、それら本体屋根ユニット２０によって切妻の本体屋根２０Ａを形成する。
【００１４】
尚、建物ユニット１０は、壁枠組１１の外面に防火性壁面材１２を貼り設けられる。本体屋根ユニット２０は、屋根枠組２１の上に防火性屋根面材２２を敷き設けられる。建物ユニット１０の壁枠組１１の上枠材１１Ａの上に、本体屋根ユニット２０の屋根枠組２１の下枠材２１Ａがボルト止めされる。
【００１５】
建物１の正面には玄関ポーチ３０が設けられる。玄関ポーチ３０は、図２に示す如く、建物ユニット１０の前面の壁枠組１１と、２本の柱３１、３１の上端部のそれぞれに架け渡される鋼製梁３２の上に、軒天受材３３Ａ、三角トラス３３Ｂ等からなる屋根枠組３３を支持し、屋根枠組３３の上に防火性屋根面材３４を敷き設け、切妻の付帯屋根３０Ａを形成する。
【００１６】
建物１は、本体屋根２０Ａの前面に玄関ポーチ３０の付帯屋根３０Ａを接続する。即ち、本体屋根ユニット２０の屋根枠組２１の下枠材２１Ａ、外周枠材２１Ｂの前面に、玄関ポーチ３０の屋根枠組３３の三角トラス３３Ｂが設置される。
【００１７】
建物１は、本体屋根２０Ａの切妻の棟と、付帯屋根３０Ａの切妻の棟を互いに直交配置している。そして、本体屋根２０Ａに、付帯屋根３０Ａの屋根面（屋根面材３４）を本体屋根２０Ａの屋根面（屋根面材２２）につなげる左右一対のサブパーツ４０を設ける。サブパーツ４０は、図２、図４に示す如く、左右２個の屋根枠組４１からなり、屋根枠組４１の上に防火性屋根面材４２を敷き設け、切妻のサブ屋根４０Ａを形成する。サブ屋根４０Ａは、サブ屋根４０Ａの棟の両側に三角形状の屋根面（屋根面材４２）を形成する。サブ屋根４０Ａの屋根面（屋根面材４２）は、付帯屋根３０Ａの屋根面（屋根面材３４）に面一をなし、付帯屋根３０Ａの側から本体屋根２０Ａの側に延在して本体屋根２０Ａの屋根面（屋根面材２２）に突き当たる。
【００１８】
しかるに、建物１にあっては、火災の延焼を防止するため、本体屋根２０Ａの前面と、付帯屋根３０Ａとの接続部に以下の防火構造を具備する。
【００１９】
建物１は、図４に示す如く、本体屋根２０Ａの前面において、本体屋根ユニット２０の屋根枠組２１の下枠材２１Ａ、外周枠材２１Ｂと、サブパーツ４０の屋根枠組４１の前面に、ＯＳＢ（オリエンテッド  ストランド  ボード）５１、胴縁５２を介して、アクリル鋼板５３を貼り付ける。尚、アクリル鋼板５３の下部には、本体屋根２０Ａの前面から建物ユニット１０の壁面材１２の外側に渡る水切５４が設けられる。ここで、アクリル鋼板５３は、本体屋根２０Ａの前面と付帯屋根３０Ａとの接続部に設けられる防火面５３Ａを構成する。
【００２０】
建物１は、図３、図４に示す如く、本体屋根ユニット２０の屋根枠組２１の外周枠材２１Ｂの長手方向に沿う複数位置のそれぞれに換気口６０を形成する切欠６１Ａを設ける。屋根枠組２１の外周枠材２１Ｂに貼り設けられるＯＳＢ５１、胴縁５２、アクリル鋼板５３のそれぞれにも、換気口６０を形成する切欠６１Ｂ、６１Ｃ、６１Ｄを設ける。換気口６０は、玄関ポーチ３０の付帯屋根３０Ａの屋根裏に開口し、本体屋根２０Ａの小屋裏と付帯屋根３０Ａの屋根裏を通気（図３の矢印）可能にし、本体屋根２０Ａの小屋裏を換気する。
【００２１】
建物１は、火災発生時に換気口６０を閉鎖する防火ダンパ７０を設ける。防火ダンパ７０は、アクリル鋼板５３の切欠６１Ｄ（換気口６０）に設置される。
【００２２】
防火ダンパ７０は、図５に示す如く、鋼板からなる、ベース板７１とカバー板７２をスポット溶接等により貼り合せ、アクリル鋼板５３の切欠６１Ｄ（換気口６０）に対応する開口７１Ａ、７２Ａをそれらのベース板７１、カバー板７２に設け、ベース板７１とカバー板７２の間に形成される間隙であって開口７１Ａ、７２Ａの上部にシャッター７３を収容し、ベース板７１の外面にかしめ止めした形状記憶合金製の止め具７４の屈曲形状の先端ストッパ部７４Ａを上述のシャッター７３の下縁に係止するものである。防火ダンパ７０は、カバー板７２をアクリル鋼板５３の前面に添設させて取付けられるとき、ベース板７１とカバー板７２の開口７１Ａ、７２Ａをアクリル鋼板５３の切欠６１Ｄ（換気口６０）に合致させる。通常は、止め具７４の先端ストッパ部７４Ａが上述の屈曲形状をなし、シャッター７３は開口７１Ａ、７２Ａの上部に保持され、アクリル鋼板５３の切欠６１Ｄ（換気口６０）をそれらの開口７１Ａ、７２Ａにより開放する。
【００２３】
火災が発生して止め具７４が高温にさらされると、止め具７４の先端ストッパ部７４Ａは直線状の記憶形状に復元してシャッター７３との係止を解除され、シャッター７３が自重により落下してベース板７１、カバー板７２の開口７１Ａ、７２Ａを閉じ、アクリル鋼板５３の切欠６１Ｄ（換気口６０）を閉鎖する。これにより、換気口６０を介する火災の延焼が防止される。
【００２４】
従って、本実施例によれば以下の作用効果を奏する。
(a)建物１周辺に発生した火災が玄関ポーチ３０に引火したとき、玄関ポーチ３０の付帯屋根３０Ａから本体屋根２０Ａの前面への延焼が防火面５３Ａの存在により防止され、ひいては本体屋根２０Ａの小屋裏、建物１の内部への延焼が防止される。
【００２５】
(b)防火面５３Ａの一部が換気口６０とされているから、通常は、付帯屋根３０Ａに覆われている本体屋根２０Ａの前面に設けられて雨水の浸入のない大開口の換気口６０を介して、本体屋根２０Ａの小屋裏を換気できる。
【００２６】
火災が発生したときには、防火ダンパ７０が上述の換気口６０を閉鎖し、この換気口６０から本体屋根２０Ａの小屋裏に入る火災の延焼を防止する。
【００２７】
(c)本体屋根２０Ａが、付帯屋根３０Ａの屋根面を本体屋根２０Ａの屋根面につなげるサブパーツ４０を設けられる。従って、本体屋根２０Ａと付帯屋根３０Ａの各屋根形状の自由度を確保しながら、建物１の屋根全体では、それらの本体屋根２０Ａと付帯屋根３０Ａをサブパーツ４０の介在によって調和させた納まりを形成できる。
【００２８】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００２９】
【図１】図１は建物を示す模式斜視図である。
【図２】図２は建物に設けた玄関ポーチを示す断面図である。
【図３】図３は図２のIII部拡大図である。
【図４】図４は建物の本体屋根の前面に設けた防火構造を示す分解斜視図である。
【図５】図５は防火ダンパを示し、（Ａ）は正面図、（Ｂ）は断面図である。
【符号の説明】
【００３０】
１  建物
２０Ａ  本体屋根
３０  玄関ポーチ
３０Ａ  付帯屋根
４０  サブパーツ
５３Ａ  防火面
６０  換気口
７０  防火ダンパ
【図１】
2010070958.tif 000003
【図２】
2010070958.tif 000004
【図３】
2010070958.tif 000005
【図４】
2010070958.tif 000006
【図５】
2010070958.tif 000007